(57)【要約】【課題】  おにぎり等の食品を包装させる食品包装用フィルムに対して、様々な種類の複数のラベルを簡単且つ適切に貼付できるようにする。【解決手段】  ラベル付き食品包装用フィルムの製造するにあたり、帯状の食品包装用フィルム10を順々に移動させ、この食品包装用フィルムの移動方向に所要間隔を介して設けた２以上のラベル貼付装置20A,20Bから上記の食品包装用フィルムにそれぞれ異なった種類のラベル31A,31Bを貼付させ、このように各ラベル貼付装置からラベルが貼付された食品包装用フィルムを、食品Fを包装する所定長さに切断させるようにした。【選択図】  図２
0003126056.tif 000002
【実用新案登録請求の範囲】
【請求項１】
帯状の食品包装用フィルムを順々に移動させ、この食品包装用フィルムの移動方向に所要間隔を介して２以上のラベル貼付装置を設け、各ラベル貼付装置から上記の食品包装用フィルムにそれぞれ異なった種類のラベルを貼付させ、このように各ラベル貼付装置からラベルが貼付された食品包装用フィルムを、食品を包装する所定長さに切断させることを特徴とするラベル付き食品包装用フィルムの製造装置。
【請求項２】
請求項１に記載したラベル付き食品包装用フィルムの製造装置において、上記の各ラベル貼付装置を上記の食品包装用フィルムの移動方向に移動可能に設けたことを特徴とするラベル付き食品包装用フィルムの製造装置。
【請求項３】
請求項１又は請求項２に記載したラベル付き食品包装用フィルムの製造装置において、上記の各ラベル貼付装置を上記の食品包装用フィルムの移動方向と交差する方向に移動可能に設けたことを特徴とするラベル付き食品包装用フィルムの製造装置。
【請求項４】
請求項１〜請求項３の何れか１項に記載したラベル付き食品包装用フィルムの製造装置において、上記の食品包装用フィルムによって包装される食品がおにぎりであることを特徴とするラベル付き食品包装用フィルムの製造装置。
【考案の詳細な説明】
【技術分野】
【０００１】
この考案は、おにぎり等の食品を包装させる食品包装用フィルムにラベルを貼付させたラベル付き食品包装用フィルムの製造装置に係り、特に、おにぎり等の食品を包装させる食品包装用フィルムに、様々な種類の複数のラベルを簡単且つ適切に貼付できるようにした点に特徴を有するものである。
【背景技術】
【０００２】
従来から、おにぎり等の食品を包装させた食品包装用フィルムにおいては、その食品に使用されている材料の種類、産地及び生産者等の情報、食品の製造年月日、商品名や商標、開封方法や開封位置等の様々な内容を表示させることが行われている。
【０００３】
そして、このように食品包装用フィルムに上記のような様々な内容を表示させるにあたっては、上記の食品包装用フィルム自体にこれらの内容を印刷させるようにしたり、このような内容を表示したラベルを上記の食品包装用フィルムに貼付させるようにしたり、食品包装用フィルムへの印刷とラベルの貼付とを併用させることが行われている。
【０００４】
ここで、特定種類の同じ食品を食品包装用フィルムによって数多く包装するような場合には、食品包装用フィルム自体にこれらの内容を印刷させることが適しているが、食品包装用フィルムによって多種類の食品を少しずつ包装するような場合には、その都度、包装させる食品に合わせて使用する食品包装用フィルムの種類を変更させなければならなかった。特に、近年のように、多くの種類のおにぎり等の食品を食品包装用フィルムにより包装させて販売している状況においては、数多くの種類の食品包装用フィルムを準備しておき、使用する食品包装用フィルムをその都度変更させることが必要になり、作業が非常に面倒で効率が非常に悪くなると共に、食品包装用フィルムの無駄も多くなるという問題があった。
【０００５】
このため、近年においては、おにぎり等の食品を包装させる食品包装用フィルムに上記のような内容を記載したラベルを貼付させることが多くなっている。
【０００６】
ここで、おにぎり等の食品を包装させる食品包装用フィルムにラベルを貼付させるにあたっては、一般に、おにぎり等の食品を食品包装用フィルムにより包装させた状態で、ラベルをこの食品包装用フィルムに貼付させることが行われている（例えば、特許文献１〜３参照。）。
【０００７】
しかし、おにぎり等の食品を包装させた状態で、この食品包装用フィルムにラベルを貼付させる場合、ラベルの貼付時におにぎり等の食品が変形し、またラベルの貼付ミスが発生しやすくなる等の問題があり、さらに近年のように、食品包装用フィルムに様々な内容を表示させるために、複数の種類のラベルを貼付させることは非常に困難になるという問題があった。
【０００８】
また、従来においては、ラベルが所要間隔を介して多数貼付された長尺状の剥離シートをその幅方向中央において切断させて、各ラベルを順々に２つに分割させ、このように分割させた２つのラベルを、搬送される帯状の包装用フィルムの幅方向に所要間隔を介して貼付させ、この２つのラベルが対向する側面部に位置するようにして、上記の帯状の包装用フィルムを角筒状に成型し、この角筒状に成型された包装用フィルムの内部に被包装物を充填させ、その後、縦シール、横シール及びガゼット折込みを施すようにしたものが提案されている（例えば、特許文献４参照。）。
【０００９】
しかし、上記のものにおいては、1つのラベルを２つに分割させた各ラベルを角筒状に成型された包装用フィルムの対向する側面部にそれぞれ貼付させるだけであるため、おにぎり等の食品を包み込むようにして包装させる食品包装用フィルムに対して、様々な種類の複数のラベルを適切な位置に貼付させることができない等の問題があった。
【特許文献１】特開平１０−３３１３０号公報
【特許文献２】特開２００６−３６２９６号公報
【特許文献３】特許第３５３９８１０号公報
【特許文献４】特開平６−１７９４０５号公報
【考案の開示】
【考案が解決しようとする課題】
【００１０】
この考案は、おにぎり等の食品を包装させる食品包装用フィルムにラベルを貼付させたラベル付き食品包装用フィルムを製造する場合における上記のような様々な問題を解決することを課題とするものであり、おにぎり等の食品を包装させる食品包装用フィルムに対して、様々な種類の複数のラベルを簡単且つ適切に貼付できるようにすることを課題とするものである。
【課題を解決するための手段】
【００１１】
この考案におけるラベル付き食品包装用フィルムの製造装置においては、上記のような課題を解決するため、帯状の食品包装用フィルムを順々に移動させ、この食品包装用フィルムの移動方向に所要間隔を介して２以上のラベル貼付装置を設け、各ラベル貼付装置から上記の食品包装用フィルムにそれぞれ異なった種類のラベルを貼付させ、このように各ラベル貼付装置からラベルが貼付された食品包装用フィルムを、食品を包装する所定長さに切断させるようにしたのである。
【００１２】
ここで、上記のラベル付き食品包装用フィルムの製造装置においては、上記の各ラベル貼付装置を上記の食品包装用フィルムの移動方向や、この移動方向と交差する方向に移動できるように設けることが好ましい。なお、この考案において、食品包装用フィルムの移動方向とは、食品包装用フィルムの移動している方向及びその逆方向の両方向を意味するものである。
【００１３】
また、上記のようにラベルが貼付された食品包装用フィルムを所定長さに切断させて食品を包装させるにあたり、この食品包装用フィルムによって包装させる食品の種類は特に限定されないが、様々な種類が存在して様々な内容を表示させる必要のある食品に対して有効であり、例えば、おにぎりを包装させる食品包装用フィルムとして用いることが好適である。
【考案の効果】
【００１４】
この考案におけるラベル付き食品包装用フィルムの製造装置においては、順々に移動される帯状の食品包装用フィルムに対して、この食品包装用フィルムの移動方向に所要間隔を介して設けられた２以上のラベル貼付装置からそれぞれ異なった種類のラベルを貼付させ、このように各ラベル貼付装置からラベルが貼付された食品包装用フィルムを所定長さに切断させて食品を包装させるようにしたため、おにぎり等の食品を包装させた状態で食品包装用フィルムにラベルを貼付させる場合のように、ラベルの貼付時におにぎり等の食品が変形したり、ラベルの貼付ミスが発生しやすくなるということがなく、おにぎり等の食品を包装させた食品包装用フィルムに複数の種類のラベルを簡単かつ適切に貼付させることができるようになる。
【００１５】
また、上記のラベル付き食品包装用フィルムの製造装置においては、上記の各ラベル貼付装置を上記の食品包装用フィルムの移動方向に移動させたり、各ラベル貼付装置を食品包装用フィルムの移動方向と交差する方向に移動させたりすることにより、それぞれのラベル貼付装置から食品包装用フィルムに貼付させるラベルの位置を適切に調整することができ、食品包装用フィルムの形状や、この食品包装用フィルムによって包装させる食品の種類や大きさ等に応じて、食品包装用フィルムに貼付させる各ラベルの位置を適切に調整できるようになる。
【考案を実施するための最良の形態】
【００１６】
以下、この考案の実施形態に係るラベル付き食品包装用フィルムの製造装置を添付図面に基づいて具体的に説明する。なお、この考案に係るラベル付き食品包装用フィルムの製造装置は、特に下記の実施形態に示したものに限定されるものではなく、その要旨を変更しない範囲において適宜変更して実施できるものである。
【００１７】
この実施形態におけるラベル付き食品包装用フィルムの製造装置においては、図１に示すように、帯状になった食品包装用フィルム１０に予め印刷を行って、所定の内容を表示した印刷部１１をこの食品包装用フィルム１０に所要間隔を介して設けたものを用いるようにしている。
【００１８】
そして、図２に示すように、このように印刷部１１が所要間隔を介して設けられた帯状の食品包装用フィルム１０を送り装置（図示せず）によって移動させると共に、このように移動する食品包装用フィルム１０の移動方向に所要間隔を介して第１及び第２の２つのラベル貼付装置２０Ａ，２０Ｂを設け、上記の食品包装用フィルム１０を順々に移動させながら、この食品包装用フィルム１０の所定位置に、第１のラベル貼付装置２０Ａから第１のラベル３１Ａを、第２のラベル貼付装置２０Ｂから第２のラベル３１Ｂを順々に貼付させるようにしている。
【００１９】
ここで、第１及び第２の各ラベル貼付装置２０Ａ，２０Ｂから食品包装用フィルム１０に第１及び第２のラベル３１Ａ，３１Ｂを貼付させるにあたっては、図３に示すように、帯状の剥離シート３２Ａに第１のラベル３１Ａが所要間隔を介して多数貼付された第１のラベル連続体３０Ａと、図４に示すように、帯状の剥離シート３２Ｂに第２のラベル３１Ｂが所要間隔を介して多数貼付された第２のラベル連続体３０Ｂとを用い、上記の第１のラベル連続体３０Ａをロール状に巻き取ったものを上記の第１のラベル貼付装置２０Ａに保持させる一方、上記の第２のラベル連続体３１Ｂをロール状に巻き取ったものを上記の第２のラベル貼付装置２０Ｂに保持させるようにしている。
【００２０】
そして、このように第１のラベル貼付装置２０Ａに保持させた第１のラベル連続体３０Ａをこの第１のラベル貼付装置２０Ａのラベル剥離部２１Ａに導くと共に、第２のラベル貼付装置２０Ｂに保持させた第２のラベル連続体３１Ｂをこの第２ラベル貼付装置２０Ｂのラベル剥離部２１Ｂに導き、上記のように食品包装用フィルム１０が移動されて所定位置に導かれた状態で、上記のラベル剥離部２１Ａにおいて第１のラベル３１Ａを剥離シート３２Ａから剥離させ、この第１のラベル３１Ａを食品包装用フィルム１０の所定位置に貼付させると共に、上記のラベル剥離部２１Ｂにおいて第２のラベル３１Ｂを剥離シート３２Ｂから剥離させ、この第２のラベル３１Ｂを食品包装用フィルム１０の所定位置に貼付させるようにしている。
【００２１】
また、このように食品包装用フィルム１０を順々に移動させながら、上記の第１及び第２の各ラベル貼付装置２０Ａ，２０Ｂから食品包装用フィルム１０の所定位置に第１及び第２のラベル３１Ａ，３１Ｂを順々に貼付させた後は、上記の連続した食品包装用フィルム１０を所定位置で切断させ、図５に示すように、印刷部１１が所定位置に設けられると共に上記の第１及び第２のラベル３１Ａ，３１Ｂがそれぞれ所定位置に貼付された所定長さの食品包装用フィルム１０を得るようにする。
【００２２】
そして、このように所定長さになった食品包装用フィルム１０を用い、一般に使用されている包装装置（図示せず）により、図６に示すように、おにぎり等の食品Ｆをこの食品包装用フィルム１０によって包装させるようにする。
【００２３】
このように第１及び第２のラベル３１Ａ，３１Ｂがそれぞれ所定位置に予め貼付された食品包装用フィルム１０を用いて、おにぎり等の食品Ｆを包装させるようにすると、従来のようにラベル貼付時におにぎり等の食品が変形したり、ラベルの貼付にミスが発生するのが防止されるようになる。また、おにぎり等の食品の平面でない部分や、２つの面にまたがるような部分等の複雑な形状部分にも適切にラベルを貼付することができる。
【００２４】
また、この実施形態におけるラベル付き食品包装用フィルムの製造装置においては、上記の第１及び第２の各ラベル貼付装置２０Ａ，２０Ｂを、それぞれ上記の食品包装用フィルム１０の移動方向に移動させるための第１の移動装置２２Ａ，２２Ｂを設けると共に、上記の第１及び第２の各ラベル貼付装置２０Ａ，２０Ｂを、それぞれ上記の食品包装用フィルム１０の移動方向と交差する方向に移動させるための第２の移動装置２３Ａ，２３Ｂを設けている。
【００２５】
そして、第１及び第２の各ラベル貼付装置２０Ａ，２０Ｂに設けられた上記の第１の移動装置２２Ａ，２２Ｂによって、第１及び第２の各ラベル貼付装置２０Ａ，２０Ｂを食品包装用フィルム１０の移動方向に移動させることにより、食品包装用フィルム１０に貼付させる第１のラベル３１Ａや第２のラベル３１Ｂの位置をずらせたり、両ラベル３１Ａ，３１Ｂ間の間隔などを変更させることができるようになる。
【００２６】
また、第１及び第２の各ラベル貼付装置２０Ａ，２０Ｂに設けられた上記の第２の移動装置２３Ａ，２３Ｂによって、第１及び第２の各ラベル貼付装置２０Ａ，２０Ｂを食品包装用フィルム１０の移動方向と交差する方向に移動させることにより、食品包装用フィルム１０の幅方向において第１のラベル３１Ａや第２のラベル３１Ｂの位置をずらせたりすることができるようになる。
【００２７】
そして、このように第１の移動装置２２Ａ，２２Ｂや第２の移動装置２３Ａ，２３Ｂによって、第１及び第２の各ラベル貼付装置２０Ａ，２０Ｂの位置を調整させることにより、様々な食品包装用フィルム１０に対して第１のラベル３１Ａと第２のラベル３１Ｂとをそれぞれ適切な位置に貼付させることが簡単に行えるようになる。
【図面の簡単な説明】
【００２８】
【図１】本考案の一実施形態におけるラベル付き食品包装用フィルムの製造装置において使用する帯状になった食品包装用フィルムを示した概略平面図である。
【図２】同実施形態におけるラベル付き食品包装用フィルムの製造装置において、帯状になった食品包装用フィルムに第１及び第２の各ラベル貼付装置から第１及び第２のラベルを貼付させる状態を示した概略説明図である。
【図３】同実施形態におけるラベル付き食品包装用フィルムの製造装置において、第１のラベル貼付装置に使用する第１のラベル連続体の部分平面図である。
【図４】同実施形態におけるラベル付き食品包装用フィルムの製造装置において、第２のラベル貼付装置に使用する第２のラベル連続体の部分平面図である。
【図５】同実施形態におけるラベル付き食品包装用フィルムの製造装置において、第１及び第２のラベルがそれぞれ所定位置に貼付された食品包装用フィルムを所定長さに切断させて分離させた状態を示した概略平面図である。
【図６】同実施形態におけるラベル付き食品包装用フィルムの製造装置において、上記のように所定長さに切断させて分離させた食品包装用フィルムによっておにぎり等の食品を包装させた状態を示した概略平面図である。
【符号の説明】
【００２９】
１０  食品包装用フィルム
１１  印刷部
２０Ａ  第１のラベル貼付装置
２０Ｂ  第２のラベル貼付装置
２１Ａ，２１Ｂ  ラベル剥離部
２２Ａ，２２Ｂ  第１の移動装置
２３Ａ，２３Ｂ  第２の移動装置
３０Ａ  第１のラベル連続体
３０Ｂ  第２のラベル連続体
３１Ａ  第１のラベル
３１Ｂ  第２のラベル
３２Ａ，３２Ｂ  剥離シート
Ｆ  食品
【図１】
0003126056.tif 000003
【図２】
0003126056.tif 000004
【図３】
0003126056.tif 000005
【図４】
0003126056.tif 000006
【図５】
0003126056.tif 000007
【図６】
0003126056.tif 000008